(57)【要約】【課題】組み立てが容易でコストが安く、また、保持力を安定して維持することができるメッシュチューブの保持構造を提供する【解決手段】配線体１を保護するメッシュチューブ２を保持部品６に保持するメッシュチューブ２の保持構造であって、凸部４ａ、５ａが形成されたリング状部品３を設け、前記保持部品６に前記リング状部品３が収容される収容部６ａを設け、前記リング状部品３が、前記凸部４ａ、５ａにメッシュチューブ２が係止されて前記収容部６ａに収容され、前記保持部品６に保持される。【選択図】図３
2005278230.tif 000002
【特許請求の範囲】
【請求項１】
配線体を保護するメッシュチューブを保持部品に保持するメッシュチューブの保持構造であって、
凸部が形成されたリング状部品を設け、前記保持部品に前記リング状部品が収容される収容部を設け、前記リング状部品が、前記凸部にメッシュチューブが係止されて前記収容部に収容され、前記保持部品に保持されることを特徴とするメッシュチューブの保持構造。
【請求項２】
前記メッシュチューブは端部に折返し部が形成され、該折返し部が前記凸部に係止されることを特徴とする請求項１に記載のメッシュチューブの保持構造。
【請求項３】
前記収容部に、前記リング状部品を保持する張出部が少なくとも１つ設けられていることを特徴とする請求項１又は２に記載のメッシュチューブの保持構造。
【請求項４】
前記保持部品は、それぞれ張出部が形成された第一保持部品と第二保持部品とからなり、前記第一保持部品と第二保持部品が組合わされ保持部品が設けられたときに、前記各張出部は対向されて枠体を形成することを特徴とする請求項３に記載のメッシュチューブの保持構造。
【発明の詳細な説明】
【技術分野】
【０００１】
本発明は、電線やケーブル等の配線体を保護するメッシュチューブを保持部品で保持するメッシュチューブの保持構造に関するものである。
【背景技術】
【０００２】
自動車用バックドアは、いわゆる４リンク方式を採用して自動車に取り付けられているものがある。この方式では、バックドアはスライドしつつ開閉するため、作業者は後退することなくバックドアの開閉作業を行うことができる。このようなバックドアにも車体側との間で電力や電気信号を送受信するための電線・ケーブルが、バックドアと車体との間に配設される。そしてこの電線・ケーブルには余長収納部品が設けられ、バックドアの開閉に伴い、余長収納部品から引出される電線・ケーブル長さが変わるように設けられている。このような電線・ケーブルを保護するために、ドアと車体との間においてメッシュチューブが外装して設けられている。前記メッシュチューブは、例えば、一方の端部がドア側に、他方の端部が車体側に取付けられた保持部品で保持されて、バックドアの開閉に伴いバックドアと車体との間で電線・ケーブルの長さが変化するのに伴い伸縮自在に設けられ、電線・ケーブルを保護する。
【０００３】
従来、上述のように電線・ケーブルに外装されたメッシュチューブの端部を保持部品で保持する構造としては、メッシュチューブの端部を保持部品にインサート成形により固定させて保持する構造、あるいは粘着テープを巻いて保持する構造が知られている。
【特許文献１】特開２００１−３０９５２３号公報
【発明の開示】
【発明が解決しようとする課題】
【０００４】
しかしながら、メッシュチューブの端部をインサート成形により保持部品で保持する構造では、金型に保持部品とメッシュチューブの端部をセットしてインサート成形を行う必要があるので、作業が複雑になって組立てコストが高くなり、さらに設備費も高くなるという問題があった。また、インサート成形の条件によっては、インサート成形時の加熱によりメッシュチューブが劣化してしまうこともあった。
【０００５】
また、メッシュチューブの端部を粘着テープにより保持部品で保持する構造では、メッシュチューブの端はばらけるために、粘着テープを巻いて貼り付ける作業が容易でないという問題があった。また、粘着テープを巻いて保持した後に、メッシュチューブが伸縮したり、あるいは時間が経過して粘着テープの粘着力が低下すると、粘着テープのメッシュチューブに対する巻き付け保持位置がずれてくるという問題もあった。
【０００６】
本発明は、上述した問題に鑑み、組み立てが容易でコストが安く、また、保持力を安定して維持することができるメッシュチューブの保持構造を提供することを目的とする。
【課題を解決するための手段】
【０００７】
本願の請求項１記載の発明は、配線体を保護するメッシュチューブを保持部品に保持するメッシュチューブの保持構造であって、凸部が形成されたリング状部品を設け、前記保持部品に前記リング状部品が収容される収容部を設け、前記リング状部品が、前記凸部にメッシュチューブが係止されて前記収容部に収容され、前記保持部品に保持されることを特徴とするものである。
【０００８】
また、本願の請求項２記載の発明は、上記請求項１記載の発明において、前記メッシュチューブは端部に折返し部が形成され、該折返し部が前記凸部に係止されることを特徴とするものである。
【０００９】
さらに、本願の請求項３記載の発明は、上記請求項１又は２記載の発明において、前記収容部に、前記リング状部品を保持する張出部が少なくとも１つ設けられていることを特徴とするものである。
【００１０】
また、本願の請求項４記載の発明は、上記請求項３の発明において、前記保持部品は、それぞれ張出部が形成された第一保持部品と第二保持部品とからなり、前記第一保持部品と第二保持部品が組合わされ保持部品が設けられたときに、前記各張出部は対向されて枠体を形成することを特徴とするものである。
【発明の効果】
【００１１】
本発明のメッシュチューブの保持構造によれば、組立てが容易でコストが安く、メッシュチューブの保持力を安定して維持することができる、という効果が得られる。
【発明を実施するための最良の形態】
【００１２】
以下、図面に基づいて本発明の実施の形態を詳細に説明する。
【００１３】
図１は、フラットケーブルに外装されたメッシュチューブの端部にリング状部品を装着する説明図、図２（ａ）、（ｂ）はそれぞれ、メッシュチューブの端部がリング状部品に装着された状態の平面図、およびそのＡ−Ａ断面図、図３（ａ）、（ｂ）はそれぞれ、メッシュチューブの端部が保持部品に保持された状態の斜視図、およびそのＢ−Ｂ断面図である。
【００１４】
図１乃至３において、１はフラットケーブル、２はメッシュチューブ、３はリング状部品、６はプロテクタ（保持部品）である。
【００１５】
フラットケーブル１は、フラット状に並べられた複数の導体（例えば銅や銅合金等）を絶縁体（例えばラミネートフィルム等）で被覆したものである。このフラットケーブル１は、例えばバックドアと車体との間に配設され、その一部が余長として、バックドア、あるいは車体側に設けられた例えばスプールケース等の余長収納部品（図示せず）内に、巻回される等して収納されている。このようにフラットケーブル１は、バックドア等の開閉に伴い余長収納部品から引出される長さが変化するように設けられる。このためフラットケーブル１は、バックドア等の開閉に伴いバックドアと車体との間で長さが変化可能に設けられる。
【００１６】
メッシュチューブ２は、前記フラットケーブル１を長手方向に伸縮自在に外装できるように、繊維等を編組して設けられている。
【００１７】
リング状部品３は、横断面略矩形状のリング状に形成され、略コの字状に形成された上部リング状部品４と下部リング状部品５を有する。これら上部リング状部品４と下部リング状部品５は、例えば合成樹脂（ポリブチレンテレフタレート、ナイロン、ポリプロピレン等）よりなる。また、上部リング状部品４と下部リング状部品５には、それぞれ略コの字状の両端面に、略三角形の複数の歯状の凸部４ａ、５ａが頂部の高さがほぼ同じになるように突出して形成されている。これにより、リング状部品３をメッシュチューブ２の一方の端部２ａに配置して設ける際、取付け方向を気にすることなくメッシュチューブ２に設けることができる。尚、メッシュチューブ２の一方の端部２ａにリング状部品３を設けたときに、凸部４ａ、５ａを前記メッシュチューブ２の他方の端部側ではなく前記一方の端部側に向けて配置できれば、凸部４ａ、５ａは、上部リング状部品４と下部リング状部品５のそれぞれの片端面にのみ形成するだけでよい。また、上部リング状部品４と下部リング状部品５は、どちらか一方のみの端面に凸部４ａあるいは５ａを形成したものを用いてもよい。さらに、上部リング状部品４には係合穴部４ｂが設けられ、下部リング状部品５には係合穴部４ｂに係合する係合突部５ｂが設けられており、両者は係合されてリング状部品３は設けられる。尚、上部リング状部品４の凸部４ａの頂部間の間隔と、下部リング状部品５の凸部５ａの頂部間の間隔は、ほぼ等しくなるように設けられている。
【００１８】
プロテクタ６は、例えば合成樹脂（ポリブチレンテレフタレート、ナイロン、ポリプロピレン等）よりなり、カバー７（第一保持部品）とケース本体８（第二保持部品）とから構成される。
ケース本体８は、横断面略コの字状に形成され、底面内側には長手方向に垂直な壁を内方に突出して２つの張出部８ａが設けられている。これらの張出部８ａは、上部リング状部品４の両端面の凸部４ａの頂部間の間隔、あるいは下部リング状部品５の両端面の凸部５ａの頂部間の間隔よりも少し大きな間隔をあけて設けられている。また、ケース本体８の外側の側面には２つの係合突起８ｂが設けられ、さらに、ケース本体８の底面外側には、プロテクタ６を被固定体（図示されず）の係止孔等の係止部に固定するためのクランプ９が突設されている。
カバー７は、ケース本体８を収容できるように横断面略コの字状に形成され、上面内側には長手方向に垂直な壁を内方に突出して２つの張出部７ａが設けられている。これらの張出部７ａは、前記張出部８ａの間隔と同じ間隔をあけて設けられ、カバー７とケース本体８とが組合わされて係合されたときに、張出部７ａと前記張出部８ａとは対向して配置される。また、カバー７の外側の側面には２つの係合孔７ｂが設けられている。
プロテクタ６は、前記係合突起８ｂと係合孔７ｂとを係合し、カバー７とケース本体８とを組合わせて設けられる。このとき、前記２つの張出部８ａと前記２つの張出部７ａの端面は互いに対向配置して２つの枠体６ｂを形成し、この２つの枠体６ｂにより、図３（ｂ）に示すように、プロテクタ６内において長手方向に区画された、リング状部品３内を収容するための収容部６ａが形成される。
尚、プロテクタ６内の長手方向に区画された収容部６ａは、上記形状に限らず、例えば、ケース本体８およびカバー７の壁面に長手方向に垂直な二つの段差を設け、これらの段差間の壁面を外側に張り出させ、これら二つの段差を張出部として長手方向に区画して設けてもよい。
【００１９】
そして本発明に係るメッシュチューブの保持構造は次のようにして設けられる。
【００２０】
図１に示されるように、フラットケーブル１の保護すべき部位にメッシュチューブ２を外装する。次に、メッシュチューブ２の任意の箇所に、上部リング状部品４と下部リング状部品５を配置して、図２に示されるように、係合穴部４ｂと係合突部５ｂとを係合してリング状部品３をメッシュチューブ２に装着して設ける。このとき、メッシュチューブ２の端部２ａをリング状部品３内で扁平に押圧して設けてもよい。そして、メッシュチューブ２の端部を折り曲げて、前記凸部４ａと凸部５ａにメッシュチューブ２の端部２ａの一部を引掛けてリング状部品３とメッシュチューブ２とを係止する。この状態で、図３に示されるように、リング状部品３を前記ケース本体８の張出部８ａ間に形成された収容部６ａ内に収容し、前記メッシュチューブ２の一部とこれに外装されたフラットケーブル１を前記ケース本体８ａ内に収納する。そして、カバー７を、前記張出部７ａ間に前記リング状部品３が配置されるようにしてケース本体８に組合わせて前記係合突起８ｂと係合孔７ｂとを係合して、プロテクタ６が設けられる。リング状部品３はメッシュチューブ２に係止された状態でプロテクタ６内に形成された収容部６ａに収容されて、メッシュチューブ２はリング状部品３を介してプロテクタ６に保持される。
【００２１】
このとき、メッシュチューブ２はある程度の厚みを有するので、端部２ａは枠体６ｂとリング状部品３に挟持された状態でプロテクタ６内に保持され、フラットケーブル１を外装して長手方向に伸縮自在に設けられる。また、フラットケーブル１はメッシュチューブ２内で移動自在に設けられる。さらに、バックドアの開閉等により発生する引張り力がメッシュチューブ２に作用しても、リング状部品３は、枠体６ｂに保持されて動きが阻止されて、収容部６ａ外に出ることはないため、メッシュチューブ２はプロテクタ６内に保持力を安定して確実に保持される。また、上述の保持構造は、メッシュチューブ２の端部２ａにリング状部品３を設けてこれをプロテクタ６内に収容して組み立てるため、作業が容易であり、組み立てコストを安くすることができる。
【００２２】
図４は、メッシュチューブの端部が保持部品に保持された状態を示す他の実施形態の断面図である。
【００２３】
この実施形態では、前述した実施形態において、さらにメッシュチューブ２の端部２ａを折返してリング状部品３の一部あるいは全部を覆って折返し部を形成し、この折返し部に前記リング状部品３の凸部４、５を引掛けて係止したものである。このため、リング状部品３とメッシュチューブ２は、よりいっそう確実に係止される。
【００２４】
この実施形態では、メッシュチューブの保持構造は次のようにして設けられる。
【００２５】
図１に示されるように、フラットケーブル１の保護すべき部位にメッシュチューブ２を外装する。次に、メッシュチューブ２の任意の箇所に、上部リング状部品４と下部リング状部品５を配置して、図２に示されるように、係合穴部４ｂと係合突部５ｂとを係合してリング状部品３をメッシュチューブ２に装着して設ける。このとき、メッシュチューブ２の端部２ａをリング状部品３内で扁平に押圧して設けてもよい。そして、メッシュチューブ２の端部をリング状部品３の外周側の一部あるいは全部を覆うように折り返して折返し部を形成し、この折返し部で前記凸部４ａと凸部５ａにメッシュチューブ２の端部２ａの一部を引掛けてリング状部品３とメッシュチューブ２とを係止する。この状態で、図４に示されるように、リング状部品３を前記ケース本体８の張出部８ａ間に形成された収容部６ａ内に収容し、前記メッシュチューブ２の一部とこれに外装されたフラットケーブル１を前記ケース本体８ａ内に収納する。そして、カバー７を、前記張出部７ａ間に前記リング状部品３が配置されるようにしてケース本体８に組合わせて前記係合突起８ｂと係合孔７ｂとを係合して、プロテクタ６が設けられる。リング状部品３はメッシュチューブ２に係止された状態でプロテクタ６内に形成された収容部６ａに収容されて、メッシュチューブ２はリング状部品３を介してプロテクタ６に保持される。
【００２６】
このとき、メッシュチューブ２はある程度の厚みを有するので、端部２ａに形成された折返し部は枠体６ｂとリング状部品３に挟持された状態でプロテクタ６内に保持され、フラットケーブル１を外装して長手方向に伸縮自在に設けられる。また、フラットケーブル１はメッシュチューブ２内で移動自在に設けられる。さらに、バックドアの開閉等により発生する引張り力がメッシュチューブ２に作用しても、リング状部品３は、枠体６ｂに保持されて動きが阻止されて、収容部６ａ外に出ることはないため、メッシュチューブ２はプロテクタ６内に保持力を安定して確実に保持される。尚、メッシュチューブ２の端部２ａに折返し部を形成すれば、引張り力の作用に伴いリング状部品３が、収容部６内で多少移動したとしても、端部２ａの一部がリング状部品３の外周側の少なくとも一部を覆う範囲内で移動するのであれば、凸部４、５はメッシュチューブ２の折返し部に引掛かって係止されるので、端部２ａに形成された折返し部を枠体６ｂとリング状部品３とで挟持せずにリング状部品３を収容部６内に収容するようにしてもよい。また、上述の保持構造は、メッシュチューブ２の端部２ａにリング状部品３を設けてこれをプロテクタ６内に収容して組み立てるため、作業が容易であり、組み立てコストを安くすることができる。
【００２７】
尚、本発明は上記実施形態に限定されることはない。例えば、リング状部品は横断面略矩形状ではなく、横断面略円形状に形成してもよく、また、リング状部品は右部リング状部品と左部リング状部品を設けて左右方向から組合わせて形成してもよく、さらに、横断面においてその一部を切り離してリング状に形成したものを用いてもよい。また、リング状部品に形成される凸部は、略三角形の歯状に限定されたり、端面に突出して形成される複数の頂部の突出し高さをほぼ同じにして形成することに限定されることはなく、メッシュチューブの一部に引掛けて係止して収容部に収容できれば、前記凸部は、どのような形状でもよく、一部の頂部の突出し高さを適宜変えてもよい。さらに、メッシュチューブの端部をリング状部品の外側に折り返して、この折り返し部の外周に、テープを巻き付けたり、あるいは前記折り返し部に接着剤を塗布してリング状部品に固定して設けてもよい。また、メッシュチューブ２が外装される配線体は、フラットケーブルに限定されることはなく、例えば断面円形の電線等を用いてもよい。さらに保持部品はプロテクタに限定されることなく、種々ケースを用いることができる。
【図面の簡単な説明】
【００２８】
【図１】フラットケーブルに外装されたメッシュチューブの端部にリング状部品を装着する説明図である。
【図２】（ａ）、（ｂ）はそれぞれ、メッシュチューブの端部がリング状部品に装着された状態の平面図、およびそのＡ−Ａ断面図である。
【図３】（ａ）、（ｂ）はそれぞれ、本発明に係るメッシュチューブの保持構造の一実施形態を示す斜視図、およびそのＢ−Ｂ断面図である。
【図４】本発明に係るメッシュチューブの保持構造の他の実施形態の断面図である。
【符号の説明】
【００２９】
１          フラットケーブル
２          メッシュチューブ
２ａ        端部
３          リング状部品
４          上部リング状部品
４ａ、５ａ  凸部
４ｂ        係合穴部
５          下部リング状部品
５ｂ        係合凸部
６          プロテクタ（保持部品）
６ａ        収容部
６ｂ        枠体
７          カバー（第一保持部品）
７ａ、８ａ  張出部
７ｂ        係合孔
８          ケース本体（第二保持部品）
８ｂ        係合突起
９          クランプ
【図１】
2005278230.tif 000003
【図２】
2005278230.tif 000004
【図３】
2005278230.tif 000005
【図４】
2005278230.tif 000006